(57)【要約】      （修正有）【課題】デザイン的に優れ、大人子供男女等の体格差に対して調整可能で、長時間掛けても耳の接触部が痛くならず、更にメガネと顔面に適当な距離を保てる簡易メガネを提供する。【解決手段】本体部１０は紙やプラスチック等のシート状の素材を型で打ち抜いたものであり、目の部分は、フィルター等を張り付ける為の穴を空ける。さらに本体部１０の左右にそれぞれ二つの耳掛け部装着穴を設け、それらの穴にフレキシブルストロー１５を貫通させ、耳掛けとして使用する。次に、鼻当てについては、本体部１０の中央下部に縦に切り込みを設け、切り込みの左右の部分を内側（手前側）に折り曲げる事により鼻当てを構成する。【選択図】図３
0003155017.tif 000002
【実用新案登録請求の範囲】
【請求項１】
耳掛け部として使用するフレキシブルストローを装着するための装着部が左右に設けられていることを特徴とする簡易メガネの本体。
【請求項２】
前記装着部が、フレキシブルストローを挿通するための穴であることを特徴とする請求項１に記載の簡易メガネの本体。
【請求項３】
前記フレキシブルストロー挿通穴が左右それぞれに二個設けられており、片側の二個の挿通穴の間の本体に弾性的曲げ部が設けられていることを特徴とする請求項２に記載の簡易メガネの本体。
【請求項４】
前記フレキシブルストロー挿通穴の形状がフレキシブルストローの断面形状と異なることを特徴とする請求項２又は３に記載の簡易メガネの本体。
【請求項５】
中央下部に設けられた切り込みの左右の部分をそれぞれ２段階に折り曲げることにより顔面側に突出するように形成された鼻当て部を有することを特徴とする請求項１〜４のいずれかに記載の簡易メガネの本体。
【請求項６】
請求項１〜５のいずれかに記載の簡易メガネの本体のフレキシブルストロー装着部にフレキシブルストローを装着したものであることを特徴とする簡易メガネ。
【考案の詳細な説明】
【技術分野】
【０００１】
本考案は、立体映画鑑賞や日食観察などの際に使用する簡易メガネに関する。
【背景技術】
【０００２】
日食の観測には、太陽を見ても目に障害を与えないように、可視光線、赤外線、紫外線などの太陽から放射される強い光線を適当なレベルに低減するフィルターのついたメガネを使用する。また、立体映画の鑑賞には左右で角度を変えた偏光フィルターを装着したメガネや、赤と緑などの色分けされたメガネを必要とする。それらは一時的にのみ使用されるものであるため、厚紙や段ボール、合成紙等をメガネの形に打ち抜き、目的に応じて目の部分にフィルター等を貼り付けたものが多く使用される。
同メガネを着用する際に用いる耳掛け部は、メガネを打ち抜く際に耳掛け部も併せて打ち抜くか、メガネの両端に穴をあけ、その穴に輪ゴムや紐の輪などを通して耳に掛けている。
【考案の概要】
【考案が解決しようとする課題】
【０００３】
上記のような従来の簡易メガネには二つの問題点がある。
その一つは耳掛け部で、メガネと同一素材により耳掛け部を形成すると、デザイン的にも多様な対応ができ、構造的にも着用時に不安定さは無いが、素材が薄い紙等で鋭いエッジを持つため、耳掛けが当たる部分に痛みを感じたり、大人子供男女体格差に合わせて調整する事ができないという問題がある。
もう一つの輪ゴム等による耳掛けは、大人子供男女等の体格差に対する適用範囲は広いが、デザイン面で工夫がし難く、また、上述した同一素材により形成した耳掛けと同様に、体に接触する部分が細いため、長時間掛けていると痛みを感じるなどの問題がある。
【０００４】
第二の問題は、メガネが薄い紙状の素材により構成されていることから、平面的に打ち抜いた従来のメガネは鼻当て部が構成できないため、メガネの本体が顔に接近し、睫毛やまぶた等にメガネが触れることがあるということである。この場合、フィルター部が汚れたり、使用者に不快感を与えることがある。
【０００５】
本考案は上記の点に鑑みてなされたものであり、その目的とするところは、デザイン的に優れ、大人子供男女等の体格差に対して調整可能で、長時間掛けても耳の接触部が痛くならず、更に、メガネと顔面の間に適当な距離を保つことができる簡易メガネを提供することにある。
【課題を解決するための手段】
【０００６】
上記課題を解決するためになされた本考案に係る簡易メガネの本体は、耳掛け部として使用するフレキシブルストローを装着するための装着部が左右に設けられていることを特徴とする。
前記装着部はフレキシブルストローを挿通するための穴であることが望ましい。また、その挿通穴はメガネ本体の左右それぞれに二個設け、片側の二個の挿通穴の間の本体に弾性的曲げ部を設けることが望ましい。弾性的曲げ部は本体を湾曲させたものであっても、折り曲げたものであってもよい。
【０００７】
また、上記簡易メガネの本体は、中央下部に設けられた切り込みの左右の部分をそれぞれ２段階に折り曲げることにより顔面側に突出するように形成された鼻当て部を有することが望ましい。
【０００８】
また、上記課題を解決するために成された本考案に係る簡易メガネは、上記簡易メガネの本体のフレキシブルストロー装着部にフレキシブルストローを装着したものであることを特徴とする。
【考案の効果】
【０００９】
本考案に係る簡易メガネでは、本体左右の装着部にフレキシブルストローを装着し、これらフレキシブルストローのフレキシブル部分で適宜折り曲げることにより、これらを左右の耳掛けとする。前記装着部がフレキシブルストローの挿通穴である場合、フレキシブルストローの挿通穴への挿入度合いを変えることで、メガネの本体から耳掛けの屈曲部までの長さを自在に設定することができ、大人から幼児まで広範囲の使用者に適合したメガネを作製することができる。また、その耳掛け部の屈曲度合いも、好みに応じて自由に変えることができる。更には、フレキシブルストローは径数mm程度の円筒であるため、耳との接触面積が大きく、長時間使用しても耳が痛くならない。
【００１０】
また、メガネの鼻当て部がメガネ中央下部に設けられた切り込みの左右の部分をそれぞれ２段階に折り曲げることにより形成されたものであるため、通常のメガネと同様に、メガネと顔の間に適度な隙間を空けることができ、メガネが顔や睫毛等に接触するという不具合を解消することができる。
【００１１】
簡易メガネは使用中の通常のメガネの上に掛ける場合がある。このとき、使用者の鼻はその先端のみしか通常のメガネ本体の前に突出しないため、従来の簡易メガネは鼻に掛かりにくく、ずれ落ちやすい。それに対し、本考案に係る簡易メガネは鼻当て部が顔面側に突出しているため、鼻当て部を通常のメガネ本体の奥（顔面側）にある鼻の付け根部分に掛けることができ、ずれ落ちにくい。また、本考案に係る簡易メガネは通常のメガネ本体と顔面の距離に応じて耳掛け部の長さを調整することができるため、通常のメガネの上に掛けて使う際に便利である。
【図面の簡単な説明】
【００１２】
【図１】本考案の一実施例に係るメガネの本体部の平面形状を示す図。
【図２】本考案の一実施例に係るメガネの本体部の折り曲げ後の状態を示す図。
【図３】本考案の一実施例に係るメガネの最終形状を示す斜視図。
【図４】耳掛け部装着穴の形状を示す図。
【考案を実施するための形態】
【実施例】
【００１３】
図１は本考案を実施した簡易メガネ１６の本体部１０の平面形状を示す図である。本体部１０は紙やプラスチック等のシート状の素材を型で打ち抜いたものであり、一般的な簡易メガネと同様に目の部分（覗き窓１１）は目的に応じてフィルター等を張り付ける為に穴が空いている。この図では左右の目に合わせて穴を２つ空けた例を示したが、日食メガネ等では左右連続した１つの穴としても良い。
【００１４】
耳掛け部を装着するために、本体部１０の左右にそれぞれ二つの耳掛け部装着穴１２を設け、詳しくは後述するが、それらの穴１２にフレキシブルストローを貫通させ、耳掛けとして使用する。
【００１５】
次に、鼻当てについては、従来の簡易メガネの場合は、鼻の形に合わせて緩やかなカーブを持つようにカットされているが、本願考案では本体部１０の中央下部に縦に切り込みを設け、後述するように切り込みの左右の部分を内側（手前側）に折り曲げる事により鼻当て１４を構成する。
【００１６】
図２は、図１に示すように打ち抜かれた本体部１０を、点線の折り曲げ線に合わせて折り曲げた状態を示す図である。なお、本実施例では本体部１０の左右の耳掛け部装着穴１２のそれぞれの間に２本の折り曲げ線を設けているが、そこに１本又は３本以上の折り曲げ線を設けたり、折り曲げ線を設ける代わりに本体部１０を湾曲させたりしてもよい。
【００１７】
前述の通り、耳掛け部装着穴１２に図３のようにフレキシブルストロー１５を挿入することにより、フレキシブルストロー１５を耳掛け部として使用する。ここで、ストロー１５を挿入する度合い（装着穴１２への取り付け位置）を変えることにより、大人から幼児まで体形に合わせて自由に耳掛けの長さを調整できる事になる。また、この耳掛け部装着穴１２は貫通するストロー１５の直径より僅かに小さな辺を持つ図４(a)に示すような角穴とすることにより、穴１２を通過するストロー１５が僅かに変形され、自由に出し入れできると共に適度な摩擦が生じ容易に抜け落ちない。また、本実施例では耳掛け部装着穴１２を片方に二個設け、それらの途中で本体部１０を弾性的に折り曲げてストロー１５をそれら二個の装着穴に通すようにしているため、たとえ装着穴１２が大きくなって一個の穴自体ではストロー１５を保持できなくなっても、両者の間の折り曲げ部の弾性によりストロー１５を保持し続けることができる。
この穴１２が円形の場合は、穴径がストロー１５の直径より少し小さいと差し込み難く、僅かに大きいと容易に抜け落ちるため、ストローや穴の直径を正確に管理する必要があるが、角穴であればストローが変形して穴に倣う為精度の管理が必要ない。
なお、穴１２の形状は、円に切り込みを付加したもの（図４(b)）、６角形（図４(c)）、６角星型（図４(d)）、楕円（図４(e)）など、目的を達成できれば形状は自由に選択できる。
【００１８】
次に鼻当て部１４については、図１の点線に合わせて２段階で手前側（顔面側）に折り曲げると、通常のメガネと同様にメガネ本体から数mmあるいは1cm程度突出した鼻当て１４を形成できる事になる。これにより、メガネと顔の間に適度な隙間を空けることができ、メガネと顔や睫毛等が接触するという不具合が解消できる。このメガネ本体から離れた鼻当ては、図１の小３角形１４１部分を切り取り、大３角形１４２の線で折り曲げても形成できるが、この場合は鼻に当たる部分がエッジになるため、接触部に痛みを感じることから、２度曲げる方がよい。
【００１９】
本考案は上記実施例に限定されるものではなく、本考案の趣旨の範囲で適宜変更が許容される。例えば、本体部１０の左右に設けた穴にフレキシブルストロー１５を挿入するのではなく、セロハンテープ等で本体部１０の左右にフレキシブルストロー１５を固定してもよい。
【符号の説明】
【００２０】
１０…本体部
１１…覗き窓
１２…耳掛け部装着穴
１４…鼻当て部
１４１…小３角形
１４２…大３角形
１５…フレキシブルストロー
１６…簡易メガネ
【図１】
0003155017.tif 000003
【図２】
0003155017.tif 000004
【図３】
0003155017.tif 000005
【図４】
0003155017.tif 000006
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
耳掛け部として使用するフレキシブルストローを挿通するためのフレキシブルストロー挿通穴が左右に設けられていることを特徴とする簡易メガネの本体。
【請求項２】
前記フレキシブルストロー挿通穴が左右それぞれに二個設けられており、片側の二個のフレキシブルストロー挿通穴の間の本体に弾性的曲げ部が設けられていることを特徴とする請求項１に記載の簡易メガネの本体。
【請求項３】
前記フレキシブルストロー挿通穴の形状がフレキシブルストローの断面形状と異なることを特徴とする請求項１又は２に記載の簡易メガネの本体。
【請求項４】
本体の中央下部に設けられた切り込みの左右の部分をそれぞれ２段階に折り曲げることにより顔面側に突出するように形成された鼻当て部を有することを特徴とする請求項１〜３のいずれかに記載の簡易メガネの本体。
【請求項５】
請求項１〜４のいずれかに記載の簡易メガネの本体のフレキシブルストロー挿通穴にフレキシブルストローを挿通したものであることを特徴とする簡易メガネ。
【請求項６】
耳掛け部として使用するフレキシブルストローが左右に装着されていることを特徴とする簡易メガネ。